(57)【要約】【課題】全体のサイズを抑制しつつプロジェクタ光学系とパラボラ光学系とを組み合わせた灯具ユニットを提供する。【解決手段】灯具ユニット１０において、投影レンズ１２は、第１光源素子２０の照射光による配光パターンを形成する。パラボラ光学系リフレクタ２４ｂは、第２光源素子２２の照射光を反射する。近軸外周部１２ｃは、自身の第１光軸Ｘ方向に見て他の少なくとも一部の外周部より第１光軸Ｘの近くに形成される。パラボラ光学系リフレクタ２４ｂは、反射光が近軸外周部１２ｃに近接する空間を通過するように第２光源素子２２の照射光を反射する。プロジェクタ光学系リフレクタ２４ａおよびパラボラ光学系リフレクタ２４ｂは第１光軸Ｘの下方に形成され、第１光源素子２０および第２光源素子２２はヒートシンク１８の下面に配置される。【選択図】図２
2009301980.tif 000002
【特許請求の範囲】
【請求項１】
第１光源と、
前記第１光源の照射光による配光パターンを形成する投影レンズと、
第２光源と、
前記第２光源の照射光を反射するパラボラ光学系リフレクタと、
を備え、
前記投影レンズは、自身の第１光軸方向に見て他の少なくとも一部の外周部より第１光軸に近い近軸外周部を有し、
前記パラボラ光学系リフレクタは、反射光が前記近軸外周部に近接する空間を通過するように前記第２光源の照射光を反射することを特徴とする灯具ユニット。
【請求項２】
前記第１光源の照射光を前記投影レンズに向けて反射するプロジェクタ光学系リフレクタと、
ヒートシンクと、
をさらに備え、
前記第１光源は、第１半導体発光素子を有し、
前記第２光源は、第２半導体発光素子を有し、
前記パラボラ光学系リフレクタおよび前記プロジェクタ光学系リフレクタは、第１光軸に対して前記近軸外周部と同じ周方向位置に配置され、
前記第１半導体発光素子および前記第２半導体発光素子は、前記パラボラ光学系リフレクタまたは前記プロジェクタ光学系リフレクタに対向する前記ヒートシンクの外面に取り付けられることを特徴とする請求項１に記載の灯具ユニット。
【請求項３】
前記プロジェクタ光学系リフレクタは、前記パラボラ光学系リフレクタよりも第１光軸に近い位置に配置されることを特徴とする請求項２に記載の灯具ユニット。
【請求項４】
前記プロジェクタ光学系リフレクタは、第１光軸方向において、前記パラボラ光学系リフレクタよりも前記投影レンズから離間する位置に配置されることを特徴とする請求項３に記載の灯具ユニット。
【請求項５】
前記第１半導体発光素子は、第１光軸方向において、前記第２半導体発光素子よりも前記投影レンズから離間する位置に配置されることを特徴とする請求項４に記載の灯具ユニット。
【発明の詳細な説明】
【技術分野】
【０００１】
本発明は、灯具ユニットに関する。
【背景技術】
【０００２】
投影レンズを介して光源からの照射光を投影することにより投影像を形成するプロジェクタ光学系、および光源からの照射光がリフレクタによって反射された光をそのまま出射させるパラボラ光学系が従来より知られている。ここで、ホットゾーン配光を照射するプロジェクタ光学系と拡散配光を照射するパラボラ光学系を組み合わせた車両用灯具が提案されている（例えば、特許文献１参照）。
【特許文献１】特開２００６−１３４８１０号公報
【発明の開示】
【発明が解決しようとする課題】
【０００３】
このようにプロジェクタ光学系とパラボラ光学系とを組み合わせて灯具ユニットを構成する場合、各々の光学系を構成する部品によって灯具ユニットのサイズが増大するおそれがある。これに対して、車両などでは内部スペースの有効活用を図るべく灯具ユニットによる占有スペースの増大を抑制することが大きな課題となっている。
【０００４】
そこで、本発明は上述した課題を解決するためになされたものであり、その目的は、全体のサイズの増大を抑制しつつプロジェクタ光学系とパラボラ光学系とを組み合わせた灯具ユニットを提供することにある。
【課題を解決するための手段】
【０００５】
上記課題を解決するために、本発明のある態様の灯具ユニットは、第１光源と、第１光源の照射光による配光パターンを形成する投影レンズと、第２光源と、第２光源の照射光を反射するパラボラ光学系リフレクタと、を備える。投影レンズは、自身の第１光軸方向に見て他の少なくとも一部の外周部より第１光軸に近い近軸外周部を有する。パラボラ光学系リフレクタは、反射光が近軸外周部に近接する空間を通過するように第２光源の照射光を反射する。
【０００６】
この態様によれば、投影レンズの近軸外周部周辺の空間を、パラボラ光学系の光路として利用することができる。このため、例えば光軸に見て外周が円形の投影レンズ周辺をパラボラ光学系の光路として利用する場合に比べ、パラボラ光学系の光路を投影レンズの光軸により近づけることが可能となる。したがって、プロジェクタ光学系とパラボラ光学系とを組み合わせることによる灯具ユニット全体のサイズを抑制することができる。
【０００７】
第１光源の照射光を投影レンズに向けて反射するプロジェクタ光学系リフレクタと、ヒートシンクと、をさらに備えてもよい。第１光源は、第１半導体発光素子を有してもよい。第２光源は、第２半導体発光素子を有してもよい。パラボラ光学系リフレクタおよびプロジェクタ光学系リフレクタは、第１光軸に対して近軸外周部と同じ周方向位置に配置され、第１半導体発光素子および第２半導体発光素子は、パラボラ光学系リフレクタまたはプロジェクタ光学系リフレクタに対向するヒートシンクの外面に取り付けられてもよい。
【０００８】
この態様によれば、第１半導体発光素子と第２半導体発光素子とをヒートシンクの同一方向に向く外面に取り付けることができる。このため、複数の半導体発光素子をヒートシンクの別方向に向く外面に取り付ける場合に比べ、ヒートシンクにおいて放熱に利用できる部分を多く設けることができ、ヒートシンクによる放熱効率を向上させることができる。
【０００９】
プロジェクタ光学系リフレクタは、パラボラ光学系リフレクタよりも第１光軸に近い位置に配置されてもよい。この態様によれば、パラボラ光学系リフレクタよりも第１光軸から遠い位置に配置された場合に比べ、プロジェクタ光学系リフレクタによる反射光の投影レンズへの入射角度を低減させることができる。このため、投影レンズの設計を容易なものとすることができる。
【００１０】
プロジェクタ光学系リフレクタは、第１光軸方向において、パラボラ光学系リフレクタよりも投影レンズから離間する位置に配置されてもよい。この態様によれば、プロジェクタ光学系リフレクタからの反射光が投影レンズに到達するまでの空間を、例えば第２光源からの照射光がパラブラ光学系リフレクタに到達するまでの空間としても利用することが可能となる。このため、プロジェクタ光学系リフレクタがパラボラ光学系リフレクタよりも投影レンズに近接する位置に配置されている場合に比べ、灯具ユニット全体のサイズを容易に抑制することができる。
【００１１】
第１半導体発光素子は、第１光軸方向において、第２半導体発光素子よりも投影レンズから離間する位置に配置されてもよい。この態様によれば、第１半導体発光素子が第２半導体発光素子よりも投影レンズから近接する位置に配置された場合に比べ、第１光源による照射光をより多くプロジェクタ光学系リフレクタに照射させることができる。また、第２光源による照射光をより多くパラボラ光学系リフレクタに照射させることもできる。このため、光源からの照射光のより効率的な利用が可能となる。
【発明の効果】
【００１２】
本発明によれば、全体のサイズを抑制しつつプロジェクタ光学系とパラボラ光学系とを組み合わせた灯具ユニットを提供することができる。
【発明を実施するための最良の形態】
【００１３】
以下、図面を参照して本発明の実施の形態（以下、実施形態という）について詳細に説明する。
【００１４】
図１は、本実施形態に係る灯具ユニット１０の正面図であり、図２は、図１のＰ−Ｐ断面図である。以下、図１および図２の双方に関連して灯具ユニット１０の構成について詳細に説明する。
【００１５】
本実施形態において灯具ユニット１０は、自動車などの車両に搭載される前照灯として利用される。灯具ユニット１０は、車両前面のうち右側に配置される右前照灯および左側に配置される左前照灯の各々に灯具ユニット１０が設けられる。このとき、複数の灯具ユニット１０が右前照灯および左前照灯の各々に設けられてもよい。
【００１６】
灯具ユニット１０は、投影レンズ１２、ホルダ１４、光源ユニット１６、および複合リフレクタ２４を有する。投影レンズ１２は、前方側表面が凸面で後方側表面が平面の平凸非球面レンズからなる。以下、前方側の凸面を出射面１２ａ、後方側の平面を入射面１２ｂという。投影レンズ１２は、自身の後側焦点面上に形成される光源像を反転像として灯具前方に投影する。以下、例えば車両前方２５メートルの位置に配置された仮想鉛直スクリーン上に形成される投影像を基準に説明する。なお、投影像が形成されるものとする仮想面はこのような鉛直な面に限られないことは勿論であり、例えば路面を想定した水平面であってもよい。
【００１７】
投影レンズ１２は、自身の第１光軸Ｘを残して平面によって下方が切り取られた形状に形成されている。投影レンズ１２がこのように切り取られることによって形成される平面を近軸外周部１２ｃとする。図１では、もとの投影レンズが第１光軸Ｘ方向に見て外形が円形であったとしたときにその投影レンズから切り取られて削除された部分をレンズ削除個所１３として示す。
【００１８】
このように形成された近軸外周部１２ｃは、第１光軸Ｘが向かう方向に見て他の外周部より第１光軸Ｘに近接している。投影レンズ１２は、入射面１２ｂ側の外周にフランジ部１２ｄが設けられている。フランジ部１２ｄは、近軸外周部１２ｃの入射面１２ｂ側の外周にも設けられている。
【００１９】
ホルダ１４は、フランジ把持部１４ａおよび平面支持部１４ｂを有する。フランジ把持部１４ａは、フランジ部１２ｄの外面と同一形状の内面を有し、フランジ部１２ｄを把持して投影レンズ１２を支持する。平面支持部１４ｂは、近軸外周部１２ｃと同一形状の平面部を有し、近軸外周部１２ｃの当接して投影レンズ１２を支持する。フランジ把持部１４ａおよび平面支持部１４ｂの内面には、光の反射を抑制する表面処理が施されている。
【００２０】
光源ユニット１６は、ヒートシンク１８、第１光源素子２０、および第２光源素子２２を有する。ヒートシンク１８は、アルミニウム材料など、放熱性に優れた材料によって形成される。ヒートシンク１８は、投影レンズ１２の後方且つ第１光軸Ｘより上方に配置される。
【００２１】
第１光源素子２０および第２光源素子２２の各々は、発光チップ（図示せず）および薄膜を有する。発光チップは、１ｍｍ角程度の正方形の発光面を有する半導体発光素子である白色発光ダイオードによって構成される。なお、発光チップはこれに限られないことは勿論であり、例えばレーザダイオードなど略点状に面発光する他の素子状の光源であってもよい。薄膜は、この発光チップの発光面を覆うように設けられる。本実施形態では、第１光源素子２０および第２光源素子２２の双方において、この薄膜は半球状に形成される。
【００２２】
第１光源素子２０は、ヒートシンク１８の下面における第１光軸Ｘ方向の略中央に取り付けられる。このとき、第１光源素子２０は、内部の発光チップが第１光軸Ｘ上に位置するよう配置される。
【００２３】
ヒートシンク１８の下面には、第１光源素子２０が取り付けられた個所より投影レンズ１２に近い個所において上方に向けて削り取られたような段差が設けられている。第２光源素子２２は、ヒートシンク１８の下面のうちこの段差部に取り付けられることで、第１光源素子２０より上方に配置される。なお、第２光源素子２２は、第１光源素子２０と同様に第１光軸Ｘの鉛直上方に配置される。
【００２４】
複合リフレクタ２４は、プロジェクタ光学系リフレクタ２４ａおよびパラボラ光学系リフレクタ２４ｂを有する。プロジェクタ光学系リフレクタ２４ａの内面は、断面が楕円の一部を構成するよう形成される。プロジェクタ光学系リフレクタ２４ａは、一方の楕円焦点が第１光源素子２０の発光チップの配置個所に位置し、他方の楕円焦点が第１光源素子２０より前方の第１光軸Ｘ上に位置するよう配置される。プロジェクタ光学系リフレクタ２４ａは、第１光源素子２０の照射光を投影レンズ１２の入射面１２ｂに向けて反射する。投影レンズ１２は、プロジェクタ光学系リフレクタ２４ａによる反射光を透過し、仮想鉛直スクリーンに第１光源素子２０の照射光による配光パターンを形成する。以下、第１光源素子２０、プロジェクタ光学系リフレクタ２４ａ、および投影レンズ１２によって構成される光学系をプロジェクタ光学系３０いう。
【００２５】
パラボラ光学系リフレクタ２４ｂは、プロジェクタ光学系リフレクタ２４ａの前方下端部からさらに前方且つ下方に延在するよう、プロジェクタ光学系リフレクタ２４ａと一体的に形成される。パラボラ光学系リフレクタ２４ｂは、その内面によって第２光源素子２２の照射光を前方に向けてそのまま反射し、仮想鉛直スクリーンに第２光源素子２２の照射光による配光パターンを形成する。以下、第２光源素子２２およびパラボラ光学系リフレクタ２４ｂによって構成されるパラボラ光学系３２という。
【００２６】
ここで、パラボラ光学系リフレクタ２４ｂは、反射光が投影レンズ１２の近軸外周部１２ｃに近接する空間を通過するように第２光源素子２２の照射光を反射する。すなわち、パラボラ光学系リフレクタ２４ｂは、レンズ削除個所１３を通過するよう第２光源素子２２の反射光を反射する。これにより、レンズ削除個所１３が削除されていない投影レンズの周辺をパラボラ光学系の光路として利用する場合に比べ、パラボラ光学系の光路を投影レンズの光軸により近づけることが可能となる。このため、例えばパラボラ光学系リフレクタ２４ｂをより第１光軸Ｘに近づけることが可能となり、灯具ユニット１０全体のサイズを抑制することができる。
【００２７】
また、図１および図２に示すように、プロジェクタ光学系リフレクタ２４ａおよびパラボラ光学系リフレクタ２４ｂは、双方とも第１光軸Ｘより下方に配置される。このため、第１光源素子２０および第２光源素子２２は、それぞれプロジェクタ光学系リフレクタ２４ａおよびパラボラ光学系リフレクタ２４ｂに向けて光を照射すべくヒートシンク１８の下面に取り付けられる。
【００２８】
このように第１光源素子２０および第２光源素子２２がヒートシンク１８の外面のうち同一方向に向く面に取り付けられることで、これらの光源素子が互いに異なる方向に向く外面にそれぞれ取り付けられる場合に比べ、ヒートシンク１８において放熱に利用できる部分を多く設けることができる。このため、ヒートシンク１８による放熱効率を向上させることができ、温度上昇による第１光源素子２０および第２光源素子２２による照射光の光度変動を抑制することができる。
【００２９】
また、このように第１光源素子２０および第２光源素子２２がヒートシンク１８の下面に取り付けられることで、これらの光源素子が発する熱を上方のヒートシンク１８に逃がし易くすることができる。このため、これらの光源素子が他の外面に取り付けられる場合に比べ、ヒートシンク１８による放熱効率をさらに向上させることができる。
【００３０】
なお、プロジェクタ光学系リフレクタ２４ａおよびパラボラ光学系リフレクタ２４ｂの配置個所が第１光軸Ｘの下方に限られないことは勿論であり、また、第１光源素子２０および第２光源素子２２のヒートシンク１８における配置個所が下面に限られないことは勿論である。例えば、プロジェクタ光学系リフレクタ２４ａおよびパラボラ光学系リフレクタ２４ｂは、第１光軸Ｘの下方ではなく、第１光軸Ｘに対して近軸外周部１２ｃと同じ周方向位置に配置されてもよい。このとき、第１光源素子２０および第２光源素子２２は、パラボラ光学系リフレクタ２４ｂまたはプロジェクタ光学系リフレクタ２４ａに対向するヒートシンクの外面に取り付けられてもよい。
【００３１】
また、上述のように、プロジェクタ光学系リフレクタ２４ａは、パラボラ光学系リフレクタ２４ｂよりも第１光軸Ｘに近い位置に配置される。これにより、プロジェクタ光学系リフレクタ２４ａがパラボラ光学系リフレクタ２４ｂよりも第１光軸Ｘに遠い位置に配置された場合に比べ、プロジェクタ光学系リフレクタ２４ａによる反射光の投影レンズ１２への入射角度を低減させることができる。このため、投影レンズ１２の設計を容易なものとすることができる。
【００３２】
さらに、プロジェクタ光学系リフレクタ２４ａは、第１光軸Ｘ方向において、パラボラ光学系リフレクタ２４ｂよりも投影レンズ１２から離間する位置に配置される。また、第１光源素子２０は、第１光軸Ｘ方向において、第２光源素子２２よりも投影レンズ１２から離間する位置に配置される。これにより、プロジェクタ光学系リフレクタ２４ａから投影レンズ１２へ反射光が通過する空間を、第２光源素子２２からパラボラ光学系リフレクタ２４ｂへの照射光の経路として利用することができる。このため、灯具ユニット１０全体のサイズを抑制することができる。
【００３３】
なお、上述のように、ヒートシンク１８の下面に段差を設け、上方の段差部に第２光源素子２２を配置することで第２光源素子２２を第１光源素子２０よりも上方に配置している。これにより、プロジェクタ光学系リフレクタ２４ａから投影レンズ１２への反射光の経路から第２光源素子２２を上方に退避させている。
【００３４】
図３は、本実施形態に係る灯具ユニット１０のプロジェクタ光学系３０によって形成される第１配光パターンＰ１を示す図である。第１配光パターンＰ１は、右前照灯および左前照灯の各々に搭載された灯具ユニット１０のプロジェクタ光学系３０からの照射光が重畳されて第１配光パターンＰ１が形成される。なお、上述のように右前照灯および左前照灯の各々に複数の灯具ユニット１０が設けられてもよい。この場合、複数の灯具ユニット１０の各々におけるプロジェクタ光学系３０は、第１配光パターンＰ１のうち互いに非同一である一部を形成してもよく、これにより複数の灯具ユニット１０全体で第１配光パターンＰ１を形成してもよい。図３に示すように、灯具ユニット１０のプロジェクタ光学系３０は、Ｈ−Ｈ線とＶ−Ｖ線との交点、すなわち灯具ユニット１０の前方における消点であるＨ−Ｖ点を中心に水平方向に伸びる楕円形の第１配光パターンＰ１を形成する。
【００３５】
図４は、本実施形態に係る灯具ユニット１０のパラボラ光学系３２によって形成される第２配光パターンＰ２を示す図である。第２配光パターンＰ２は、右前照灯および左前照灯の各々に搭載された灯具ユニット１０のパラボラ光学系３２からの照射光が重畳されて第２配光パターンＰ２が形成される。なお、上述のように右前照灯および左前照灯の各々に複数の灯具ユニット１０が設けられてもよい。この場合、灯具ユニット１０の各々におけるパラボラ光学系３２は、第２配光パターンＰ２のうち互いに非同一である一部を形成してもよく、これにより複数の灯具ユニット１０全体で第２配光パターンＰ２を形成してもよい。
【００３６】
図４に示すように、灯具ユニット１０のパラボラ光学系３２は、高さが略同一のままＨ−Ｈ線と平行に伸びる楕円形の第２配光パターンＰ２を形成する。第２配光パターンＰ２は、Ｈ−Ｈ線より上方の領域の方が、Ｈ−Ｈ線から下方の領域より広くなるよう形成される。
【００３７】
図５は、本実施形態に係る灯具ユニット１０によって形成されるハイビーム用配光パターンＰＨを示す図である。ハイビーム用配光パターンＰＨは、第１配光パターンＰ１および第２配光パターンＰ２の双方が重畳されることによって形成される。したがって、第１配光パターンＰ１を形成するプロジェクタ光学系３０および第２配光パターンＰ２を形成するパラボラ光学系３２は、共にハイビーム用配光パターンＰＨを形成するロービーム用光源として機能する。このとき、第１配光パターンＰ１と第２配光パターンＰ２とは互いに一部において重畳してハイビーム用配光パターンＰＨを形成する。
【００３８】
第２配光パターンＰ２は、第１配光パターンＰ１より水平方向に長く延在する。また、第２配光パターンＰ２は、第１配光パターンＰ１よりもＨ−Ｈ線に対してより高い位置まで形成される。一方、第１配光パターンＰ１は、第２配光パターンＰ２よりもＨ−Ｈ線に対してより低い位置まで形成される。したがって、第１配光パターンＰ１および第２配光パターンＰ２は、Ｈ−Ｖ点周辺において重畳される。
【００３９】
このように第１配光パターンＰ１および第２配光パターンＰ２を重畳させてハイビーム用配光パターンＰＨを形成することにより、Ｈ−Ｖ点周辺に強い光を照射することができ、車両前方の遠方視認性を向上させることができる。
【００４０】
プロジェクタ光学系は、一般的にパラボラ光学系よりもより集光した配光パターンを良好に形成することができる。一方、パラボラ光学系は、一般にプロジェクタ光学系よりも光を拡散させた配光パターンを良好に形成することができる。本実施形態に係る灯具ユニット１０では、このようにＨ−Ｖ点周辺において、プロジェクタ光学系３０が光を集光させて第１配光パターンＰ１を形成する。また、パラボラ光学系３２が拡散光を照射して第１配光パターンＰ１の周囲を補完するよう広い範囲にわたった第２配光パターンＰ２を形成する。これにより、プロジェクタ光学系およびパラボラ光学系のそれぞれの特質を活かして適切なハイビーム用配光パターンＰＨを形成することができる。
【００４１】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【００４２】
ある変形例では、灯具ユニット１０は、車両の右前端部近傍および左前端部近傍または車両の右後端部近傍および左後端部近傍に配置され、車両のクリアランスランプ、すなわち車幅灯として機能する。このときも、プロジェクタ光学系３０は、Ｈ−Ｖ点周辺において光を集光させて配光パターンを形成し、パラボラ光学系３２は拡散光を照射してプロジェクタ光学系３０による配光パターンの周囲を補完するよう広い範囲にわたった配光パターンを形成する。これにより、車両前方または後方の遠い位置からの視認性を向上させることができ、対向車や先行車などの前走車または後続車に車両の幅や車間距離などをより的確に認識させることができる。
【００４３】
ある別の変形例では、灯具ユニット１０は、車両前部または後部に配置され、車両のＤＲＬ（Daytime Running Lamp）、すなわち昼間灯として機能する。このときも、プロジェクタ光学系３０は、Ｈ−Ｖ点周辺において光を集光させて配光パターンを形成し、パラボラ光学系３２は拡散光を照射してプロジェクタ光学系３０による配光パターンの周囲を補完するよう広い範囲にわたった配光パターンを形成する。これにより、昼間において前走車または後続車に自車両をより的確に認識させることができる。
【００４４】
ある別の変形例では、灯具ユニット１０は、車両前部に配置される。灯具ユニット１０の第１光源素子２０および第２光源素子２２は、赤外線を照射する赤外ＬＥＤを含みＩＲ（赤外線）灯具ユニットとして機能する。これにより、夜間において前走車に与えるグレアを抑制しつつ歩行者などの存在および位置を検出することが可能となる。車両前方に赤外線を照射することによって歩行者などの存在および位置を検出する技術は公知であるため説明を省略する。
【００４５】
ある別の変形例では、灯具ユニット１０は、いわゆるロービーム用配光パターンを形成する。このときも、プロジェクタ光学系３０は、Ｈ−Ｈ線周辺にカットオフラインを形成し、且つ高光度領域であるホットゾーンを含む配光パターンを形成する。パラボラ光学系３２は、プロジェクタ光学系３０による配光パターンの左右および下方の領域を補完するよう、プロジェクタ光学系３０による配光パターンより水平方向に長く且つ下方に延在する配光パターンを形成する。
【００４６】
なお、図１および図２に記載される灯具ユニット１０の構成では、投影レンズ１２の後方焦点周辺を第２光源素子２２による照射光が通過するため、カットオフラインを形成するためのシェードを配置することが困難となる。このため、プロジェクタ光学系リフレクタ２４ａとパラボラ光学系リフレクタ２４ｂとが分離されてもよい。第２光源素子２２およびパラボラ光学系リフレクタ２４ｂは、第１光源素子２０およびプロジェクタ光学系リフレクタ２４ａよりも後方、すなわち投影レンズ１２から離間して配置されてもよい。これにより、投影レンズ１２の後方焦点周辺に第２光源素子２２の照射光が通過することを回避することができ、投影レンズ１２の後方焦点周辺にシェードを配置することが可能となる。
【００４７】
ある変形例では、灯具ユニット１０におけるプロジェクタ光学系は第１配光パターンＰ１ではなくロービーム用配光パターンを形成する。また、灯具ユニット１０におけるパラボラ光学系は、ロービーム用配光パターンの周囲を補完するようにロービーム用配光パターンとは別の配光パターンを形成する。このとき灯具ユニット１０におけるパラボラ光学系は、いわゆるハイビーム用配光パターンを形成してもよい。このような態様によっても、プロジェクタ光学系およびパラボラ光学系の両者の特質を活かした光の照射を実現することができる。
【図面の簡単な説明】
【００４８】
【図１】本実施形態に係る灯具ユニットの正面図である。
【図２】図１のＰ−Ｐ断面図である。
【図３】本実施形態に係る灯具ユニットのプロジェクタ光学系によって形成される第１配光パターンを示す図である。
【図４】本実施形態に係る灯具ユニットのパラボラ光学系によって形成される第２配光パターンを示す図である。
【図５】本実施形態に係る灯具ユニットによって形成されるハイビーム用配光パターンを示す図である。
【符号の説明】
【００４９】
１０  灯具ユニット、  １２  投影レンズ、  １２ａ  出射面、  １２ｂ  入射面、  １２ｃ  近軸外周部、  １３  レンズ削除個所、  １４  ホルダ、  １６  光源ユニット、  １８  ヒートシンク、  ２０  第１光源素子、  ２２  第２光源素子、  ２４  複合リフレクタ、  ２４ａ  プロジェクタ光学系リフレクタ、  ２４ｂ  パラボラ光学系リフレクタ。
【図１】
2009301980.tif 000003
【図２】
2009301980.tif 000004
【図３】
2009301980.tif 000005
【図４】
2009301980.tif 000006
【図５】
2009301980.tif 000007